【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
かごの出入口に設けられたかご出入口柱と、かごの出入口を開閉するかごの戸と、乗場出入口に設けられた乗場三方枠と、乗場出入口を開閉する乗場の戸とを備えたエレベータのドア装置において、
前記かご出入口柱のかごの戸側の面及びかご出入口側の面に跨るコーナー部を切り欠くことにより形成されたかご側引き込まれ認知用空間部と、
前記かご出入口柱に設けられ、前記かご側引き込まれ認知用空間部のかご出入口側の面を常時覆うように配置された容易に変形する弾性体からなるかご側引き込まれ認知体とを備え、
前記かご側引き込まれ認知体は、かごの戸とかご出入口柱の隙間に引き込まれが発生した時、前記かご側引き込まれ認知用空間部の内側に押されて変位することにより、初期段階としての引き込まれを認知させるとともに、更に引き込まれると、内側に大きく変形することにより、前記かご側引き込まれ認知用空間部を通して内部に隠蔽されているかご出入口柱の引込み面に当って次段階としての引き込まれを認知させ、機械的又は電気的な検出器や光電スイッチに頼らずに引き込まれを防止することを特徴とするエレベータのドア装置。
【請求項２】
かごの出入口に設けられたかご出入口柱と、かごの出入口を開閉するかごの戸と、乗場出入口に設けられた乗場三方枠と、乗場出入口を開閉する乗場の戸とを備えたエレベータのドア装置において、
前記乗場三方枠の乗場の戸側の面及び乗場出入口側の面に跨るコーナー部を切り欠くことにより形成された乗場側引き込まれ認知用空間部と、
前記乗場三方枠に設けられ、前記乗場側引き込まれ認知用空間部の乗場出入口側の面を常時覆うように配置された容易に変形する弾性体からなる乗場側引き込まれ認知体とを備え、
前記乗場側引き込まれ認知体は、乗場の戸と乗場三方枠の隙間に引き込まれが発生した時、前記乗場側引き込まれ認知用空間部の内側に押されて変位することにより、初期段階としての引き込まれを認知させるとともに、更に引き込まれると、内側に大きく変形することにより、前記乗場側引き込まれ認知用空間部を通して内部に隠蔽されている乗場三方枠の引込み面に当って次段階としての引き込まれを認知させ、機械的又は電気的な検出器や光電スイッチに頼らずに引き込まれを防止することを特徴とするエレベータのドア装置。
【請求項３】
かごの出入口に設けられたかご出入口柱と、かごの出入口を開閉するかごの戸と、乗場出入口に設けられた乗場三方枠と、乗場出入口を開閉する乗場の戸とを備えたエレベータのドア装置において、
前記かご出入口柱のかごの戸側の面及びかご出入口側の面に跨るコーナー部を切り欠くことにより形成されたかご側引き込まれ認知用空間部と、
前記かご出入口柱に設けられ、前記かご側引き込まれ認知用空間部のかご出入口側の面を常時覆うように配置された容易に変形する弾性体からなるかご側引き込まれ認知体と、
前記乗場三方枠の乗場の戸側の面及び乗場出入口側の面に跨るコーナー部を切り欠くことにより形成された乗場側引き込まれ認知用空間部と、
前記乗場三方枠に設けられ、前記乗場側引き込まれ認知用空間部の乗場出入口側の面を常時覆うように配置された容易に変形する弾性体からなる乗場側引き込まれ認知体とを備え、
前記かご側引き込まれ認知体は、かごの戸とかご出入口柱の隙間に引き込まれが発生した時、前記かご側引き込まれ認知用空間部の内側に押されて変位することにより、初期段階としての引き込まれを認知させるとともに、更に引き込まれると、内側に大きく変形することにより、前記かご側引き込まれ認知用空間部を通して内部に隠蔽されているかご出入口柱の引込み面に当って次段階としての引き込まれを認知させ、機械的又は電気的な検出器や光電スイッチに頼らずに引き込まれを防止し、
前記乗場側引き込まれ認知体は、乗場の戸と乗場三方枠の隙間に引き込まれが発生した時、前記乗場側引き込まれ認知用空間部の内側に押されて変位することにより、初期段階としての引き込まれを認知させるとともに、更に引き込まれると、内側に大きく変形することにより、前記乗場側引き込まれ認知用空間部を通して内部に隠蔽されている乗場三方枠の引込み面に当って次段階としての引き込まれを認知させ、機械的又は電気的な検出器や光電スイッチに頼らずに引き込まれを防止することを特徴とするエレベータのドア装置。
【請求項４】
かご側引き込まれ認知体は、かご側引き込まれ認知用空間部のかご出入口側の面を常時覆うように配置された容易に変形する弾性体からなるかご側第１引き込まれ認知体と、前記かご側第１引き込まれ認知体と一体に設けられ、かごの戸とかご出入口柱の隙間に引き込まれが発生した時、前記かご側第１引き込まれ認知体が内側に押されて変位すると、連動して移動・変形してかご出入口柱の引込み面に当ってかごの戸側に向かって延び、かごの戸とかご出入口柱の隙間を塞ぐかご側第２引き込まれ認知体とからなることを特徴とする請求項１記載のエレベータのドア装置。
【請求項５】
乗場側引き込まれ認知体は、乗場側引き込まれ認知用空間部の乗場出入口側の面を常時覆うように配置された容易に変形する弾性体からなる乗場側第１引き込まれ認知体と、前記乗場側第１引き込まれ認知体と一体に設けられ、乗場の戸と乗場三方枠の隙間に引き込まれが発生した時、前記乗場側第１引き込まれ認知体が内側に押されて変位すると、連動して移動・変形して乗場三方枠の引込み面に当って乗場の戸側に向かって延び、乗場の戸と乗場三方枠の隙間を塞ぐ乗場側第２引き込まれ認知体とからなることを特徴とする請求項２記載のエレベータのドア装置。
【請求項６】
かご側引き込まれ認知体は、かご側引き込まれ認知用空間部のかご出入口側の面を常時覆うように配置された容易に変形する弾性体からなるかご側第１引き込まれ認知体と、前記かご側第１引き込まれ認知体と一体に設けられ、かごの戸とかご出入口柱の隙間に引き込まれが発生した時、前記かご側第１引き込まれ認知体が内側に押されて変位すると、連動して移動・変形してかご出入口柱の引込み面に当ってかごの戸側に向かって延び、かごの戸とかご出入口柱の隙間を塞ぐかご側第２引き込まれ認知体とからなり、乗場側引き込まれ認知体は、乗場側引き込まれ認知用空間部の乗場出入口側の面を常時覆うように配置された容易に変形する弾性体からなる乗場側第１引き込まれ認知体と、前記乗場側第１引き込まれ認知体と一体に設けられ、乗場の戸と乗場三方枠の隙間に引き込まれが発生した時、前記乗場側第１引き込まれ認知体が内側に押されて変位すると、連動して移動・変形して乗場三方枠の引込み面に当って乗場の戸側に向かって延び、乗場の戸と乗場三方枠の隙間を塞ぐ乗場側第２引き込まれ認知体とからなることを特徴とする請求項３記載のエレベータのドア装置。
【請求項７】
既設エレベータのかご出入口柱のかご出入口側の面の反かごの戸側に追加部材を後付けすることにより、かご側引き込まれ認知用空間部を形成することを特徴とする請求項１又は請求項４記載のエレベータのドア装置。
【請求項８】
既設エレベータの乗場三方枠の乗場出入口側の面の反乗場の戸側に追加部材を後付けすることにより、乗場側引き込まれ認知用空間部を形成することを特徴とする請求項２又は請求項５記載のエレベータのドア装置。
【請求項９】
既設エレベータのかご出入口柱のかご出入口側の面の反かごの戸側に追加部材を後付けすることにより、かご側引き込まれ認知用空間部を形成し、既設エレベータの乗場三方枠の乗場出入口側の面の反乗場の戸側に追加部材を後付けすることにより、乗場側引き込まれ認知用空間部を形成することを特徴とする請求項３又は請求項６記載のエレベータのドア装置。
【手続補正２】
【補正対象書類名】明細書
【補正対象項目名】０００７
【補正方法】変更
【補正の内容】
【０００７】
この発明に係るエレベータのドア装置は、かごの出入口に設けられたかご出入口柱と、かごの出入口を開閉するかごの戸と、乗場出入口に設けられた乗場三方枠と、乗場出入口を開閉する乗場の戸とを備えたものにおいて、かご出入口柱のかごの戸側の面及びかご出入口側の面に跨るコーナー部を切り欠くことにより形成されたかご側引き込まれ認知用空間部と、かご出入口柱に設けられ、かご側引き込まれ認知用空間部のかご出入口側の面を常時覆うように配置された容易に変形する弾性体からなるかご側引き込まれ認知体とを備え、かご側引き込まれ認知体は、かごの戸とかご出入口柱の隙間に引き込まれが発生した時、かご側引き込まれ認知用空間部の内側に押されて変位することにより、初期段階としての引き込まれを認知させるとともに、更に引き込まれると、内側に大きく変形することにより、かご側引き込まれ認知用空間部を通して内部に隠蔽されているかご出入口柱の引込み面に当って次段階としての引き込まれを認知させ、機械的又は電気的な検出器や光電スイッチに頼らずに引き込まれを防止するものである。
【手続補正３】
【補正対象書類名】明細書
【補正対象項目名】０００８
【補正方法】変更
【補正の内容】
【０００８】
また、乗場三方枠の乗場の戸側の面及び乗場出入口側の面に跨るコーナー部を切り欠くことにより形成された乗場側引き込まれ認知用空間部と、乗場三方枠に設けられ、乗場側引き込まれ認知用空間部の乗場出入口側の面を常時覆うように配置された容易に変形する弾性体からなる乗場側引き込まれ認知体とを備え、乗場側引き込まれ認知体は、乗場の戸と乗場三方枠の隙間に引き込まれが発生した時、乗場側引き込まれ認知用空間部の内側に押されて変位することにより、初期段階としての引き込まれを認知させるとともに、更に引き込まれると、内側に大きく変形することにより、乗場側引き込まれ認知用空間部を通して内部に隠蔽されている乗場三方枠の引込み面に当って次段階としての引き込まれを認知させ、機械的又は電気的な検出器や光電スイッチに頼らずに引き込まれを防止するものである。
【手続補正４】
【補正対象書類名】明細書
【補正対象項目名】０００９
【補正方法】変更
【補正の内容】
【０００９】
また、かご側引き込まれ認知体は、かご側引き込まれ認知用空間部のかご出入口側の面を常時覆うように配置された容易に変形する弾性体からなるかご側第１引き込まれ認知体と、かご側第１引き込まれ認知体と一体に設けられ、かごの戸とかご出入口柱の隙間に引き込まれが発生した時、かご側第１引き込まれ認知体が内側に押されて変位すると、連動して移動・変形してかご出入口柱の引込み面に当ってかごの戸側に向かって延び、かごの戸とかご出入口柱の隙間を塞ぐかご側第２引き込まれ認知体とからなるものである。
【手続補正５】
【補正対象書類名】明細書
【補正対象項目名】００１０
【補正方法】変更
【補正の内容】
【００１０】
また、乗場側引き込まれ認知体は、乗場側引き込まれ認知用空間部の乗場出入口側の面を常時覆うように配置された容易に変形する弾性体からなる乗場側第１引き込まれ認知体と、乗場側第１引き込まれ認知体と一体に設けられ、乗場の戸と乗場三方枠の隙間に引き込まれが発生した時、乗場側第１引き込まれ認知体が内側に押されて変位すると、連動して移動・変形して乗場三方枠の引込み面に当って乗場の戸側に向かって延び、乗場の戸と乗場三方枠の隙間を塞ぐ乗場側第２引き込まれ認知体とからなるものである。